(57)【要約】【課題】  放熱機能に優れており、発光素子の劣化を軽減する。【解決手段】  配線基板と、配線基板の上面上の画像表示領域に設けられ、夫々発光素子を含んでなる複数の画素部と、配線基板を上下方向に貫いて設けられ、複数の画素部に接続される複数の上下導通配線と、配線基板の下面側に複数の上下導通配線に接続され、複数の画素部から放出される熱の放熱経路の一部をなす複数の配線とを備える。【選択図】  図３
2005134756.tif 000002
【特許請求の範囲】
【請求項１】
配線基板と、
該配線基板の上面上の画像表示領域に設けられ、夫々発光素子を含んでなる複数の画素部と、
前記配線基板を上下方向に貫いて設けられ、前記複数の画素部に接続される複数の上下導通配線と、
前記配線基板の下面側に前記複数の上下導通配線に接続され、前記複数の画素部から放出される熱の放熱経路の一部をなす複数の配線と
を備えることを特徴とする電気光学装置。
【請求項２】
前記複数の配線及び前記複数の上下導通配線は、前記複数の画素部を構成する材料よりも熱伝導率の大きい材料から構成されること
を特徴とする請求項１に記載の電気光学装置。
【請求項３】
前記複数の配線の少なくとも一部を、前記配線基板を平面的に見て、対応する前記上下導通配線との接続面よりも広いパターン形状としてあること
を特徴とする請求項１又は２に記載の電気光学装置。
【請求項４】
前記複数の配線の少なくとも一部を、前記配線基板の下側の表面から突出するパターン形状としてあること
を特徴とする請求項１から３のいずれか一項に記載の電気光学装置。
【請求項５】
前記複数の配線は、前記配線基板の下面側に積層された多層配線として設けられていること
を特徴とする請求項１から４のいずれか一項に記載の電気光学装置。
【請求項６】
前記配線基板は、前記複数の画素部を構成する材料よりも熱伝導率の大きい材料から構成されること
を特徴とする請求項１から５のいずれか一項に記載の電気光学装置。
【請求項７】
前記複数の配線のうち少なくとも一部は、前記複数の画素部のうち所定数の画素部に対して共通に配線されたバス配線であること
を特徴とする請求項１から６のいずれか一項に記載の電気光学装置。
【請求項８】
前記バス配線は、前記複数の画素部に共通に配線されていること
を特徴とする請求項７に記載の電気光学装置。
【請求項９】
前記バス配線は、前記所定数の画素部の配列パターンに対応させたパターン形状としてあること
を特徴とする請求項７に記載の電気光学装置。
【請求項１０】
前記発光素子は発光層を有しており、前記複数の上下導通配線は夫々前記発光層に接続されること
を特徴とする請求項１から６のいずれか一項に記載の電気光学装置。
【請求項１１】
前記複数の画素部は夫々前記発光素子に接続される回路素子を含んでなり、
前記複数の上下導通配線は夫々前記回路素子に接続されること
を特徴とする請求項１から６のいずれか一項に記載の電気光学装置。
【請求項１２】
前記回路素子はアクティブ素子であることを特徴とする請求項１１に記載の電気光学装置。
【請求項１３】
前記発光素子は有機ＥＬ素子を用いて構成されることを特徴とする請求項１から１２のいずれか一項に記載の電気光学装置。
【請求項１４】
請求項１から１３のいずれか一項に記載の電気光学装置を具備することを特徴とする電子機器。
【発明の詳細な説明】
【技術分野】
【０００１】
本発明は、例えばプラズマディスプレイパネル（Plasma Display Panel）やフィールドエミッションディスプレイ（Field Emission Display）、又は有機ＥＬ（Electro-Luminescence）パネル等の自発光型の電気光学パネルを備える電気光学装置の技術分野に関する。
【背景技術】
【０００２】
この種の電気光学装置は、駆動時、基板上の画像表示領域において、各画素部に含まれる発光素子が発光することによって画像表示が行われる。ここで、自発光型の場合、発光素子から相当量の熱が発生する。このため、該発光により生じた熱を冷却するため、当該電気光学装置には冷却用のファンが設けられる。或いは、前記基板の画像表示領域に面する側と反対側の面に冷却用のフィンを多数設けたりする（例えば、特許文献１参照）。各画素部において発生した熱を冷却することにより、発光素子や該発光素子を駆動するための回路素子等が劣化して、性能が低下し、且つ寿命が低下することを防ぐことが可能となる。
【０００３】
【特許文献１】特開平１１−１１４５３号公報
【発明の開示】
【発明が解決しようとする課題】
【０００４】
しかしながら、電気光学装置に冷却用のファンを設ける構成によれば、当該電気光学装置の厚みが大きくなり重量も増すほか、該冷却用ファンを設けるためのコストを要し、動作時には騒音が発生する。更には、電気光学装置に冷却用ファンと共に取り付けられた防塵フィルターが目詰まりすると、当該電気光学装置における放熱効率が低下して、各画素部における発光素子や回路素子の劣化を招くこととなる。
【０００５】
本発明は、上記問題点に鑑み成されたものであり、放熱機能に優れており、発光素子の劣化を軽減することが可能な有機ＥＬパネル等の電気光学装置、並びにそのような電気光学装置を備えた各種電子機器を提供することを課題とする。
【課題を解決するための手段】
【０００６】
本発明の電気光学装置は上記課題を解決するために、配線基板と、該配線基板の上面上の画像表示領域に設けられ、夫々発光素子を含んでなる複数の画素部と、前記配線基板を上下方向に貫いて設けられ、前記複数の画素部に接続される複数の上下導通配線と、前記配線基板の下面側に前記複数の上下導通配線に接続され、前記複数の画素部から放出される熱の放熱経路の一部をなす複数の配線とを備える。
【０００７】
本発明の電気光学装置において、配線基板は例えばプリント基板を用いて構成される。複数の配線は、配線基板の複数の画素部が形成される上面側と反対側の下面側に形成される。複数の配線は夫々、少なくともその一表面が配線基板の下面に露出するように、配線基板に作り込まれる。或いは、配線基板の下面側に多層配線として形成される。
【０００８】
また、複数の上下導通配線は夫々、配線基板の上面から下面に貫くように開口された穴に導電材料を埋め込むことによって形成される。そして、複数の上下導通配線によって、配線基板の下面側に形成された複数の配線と、配線基板の上面側に形成された複数の画素部とが電気的に接続される。
【０００９】
尚、配線基板の下側では、他の配線と抵触しない限りにおいて、配線基板の上側における画素部等の配置と無関係に任意の配線レイアウトをとることができる。
【００１０】
電気光学装置の駆動時、配線基板上に内蔵された又は後付けされた若しくは外部回路接続端子を介して接続された駆動手段から出力される複数の駆動信号に応じて複数の画素部において夫々発光素子が発光する。この際、駆動に係る信号が少なくとも一部は、配線及び上下導通配線を介して、駆動手段から画素部へと供給される。ここに、例えば複数の画素部がパッシブ駆動される場合は、複数の配線を介して複数の駆動信号が複数の画素部に印加される。
【００１１】
複数の画素部には複数の上下導通配線が接続されている。そして、電気光学装置の駆動時、主に発光素子の発光によって複数の画素部において生じる熱は、複数の上下導通配線を介して、該複数の上下導通配線に接続された複数の配線に、伝導される。即ち、本発明の電気光学装置では、駆動時、複数の画素部から複数の上下導通配線を介して複数の配線に至る放熱経路が形成されることとなる。また、複数の画素部において生じる熱は配線基板自体にも伝導される。
【００１２】
よって、本発明の電気光学装置によれば、駆動時、配線基板の表面に加え、配線基板の下面側を、該下面に沿った方向に延在する複数の配線を放熱経路の一部とすることにより、複数の画素部において発生する熱を当該電気光学装置外に効率良く放出させることが可能となる。従って、例えば、冷却用のファンを設けなくても、駆動時において電気光学装置を冷却することができる。このため、本発明の電気光学装置では、発熱よる発光素子等の劣化を軽減し、複数の画素部を構成する発光素子等の長寿命化を図ることが可能となる。
【００１３】
また、冷却用のファンを使用しないため、該ファンが動作することによる騒音の発生を防止すると共に、冷却用ファンを用いる構成よりも電気光学装置を薄くすることが可能となる。
【００１４】
尚、冷却用ファンを用いる併用する場合にも、当該冷却用ファンに係る冷却機能は、背景技術の場合に比べて低くて足りる。
【００１５】
本発明の電気光学装置の一態様では、前記複数の配線及び前記複数の上下導通配線は、前記複数の画素部を構成する材料よりも熱伝導率の大きい材料から構成される。
【００１６】
この態様によれば、前記放熱経路の一部をなす複数の配線及び複数の上下導通配線を構成する材料として、複数の画素部に含まれる回路素子や配線を構成する材料よりも熱伝導率の大きいものが用いられる。ここに画素部を構成する材料とは、画素部の種類や型に応じて各種の材料が該当し得るが、発光素子から発生した熱が多少なりとも伝わる、画素部の一部或いは一部品を構成する一の材料を意味する。即ち、画素部を構成する全ての材料よりも熱伝導率が高い必要はない。よって、この態様によれば、複数の画素部において発生する熱を、より効率良く放射や輻射によって複数の上下導通配線を介して複数の配線に伝導させることが可能となる。その結果、当該電気光学装置の駆動時における、放熱効率を高めることができる。
【００１７】
本発明の電気光学装置の他の態様では、前記複数の配線の少なくとも一部を、前記配線基板を平面的に見て、対応する前記上下導通配線との接続面よりも広いパターン形状としてある。
【００１８】
この態様によれば、例えば配線基板の下面に露出する複数の配線の各々の一表面を、該下面に沿った方向に、対応する上下導通配線との接続面より広げたパターン形状とする。或いは、複数の配線を多層配線とする場合には、例えば配線基板の下面側において、外側に露出する配線の一表面を、該下面に沿った方向に広げたパターン形状とする。このパターン形状は、配線基板を平面的に見て、対応する上下導通配線における該配線との接続面よりも広い形状となる。
【００１９】
このようにすれば、複数の配線又はその一部の配線における、伝導された熱が放出される表面の面積を広くすることが可能となる。その結果、駆動時に複数の画素部において発生する熱を、より効率良く電気光学装置外に放出させることが可能となる。従って、当該電気光学装置の駆動時における、放熱効率を高めることができる。
【００２０】
本発明の電気光学装置の他の態様では、前記複数の配線の少なくとも一部を、前記配線基板の下側の表面から突出するパターン形状としてある。
【００２１】
この態様によれば、配線基板の下面において、複数の配線は該配線基板の下側に突出するパターン形状として形成される。或いは、複数の配線を多層配線とする場合には、配線基板の下面側において外側に露出する一表面を有する配線を、配線基板の下側に突出するパターン形状として形成する。このようにすれば、複数の配線又はその一部の配線における、伝導された熱が放出される表面積をより広くすることが可能となる。その結果、駆動時に複数の画素部において発生する熱を、放熱フィンの要領で、より効率良く電気光学装置外に放出させることが可能となる。従って、当該電気光学装置の駆動時における、放熱効率を高めることができる。このような突出した配線のパターン形状は、格子状や、ストライプ状或いは櫛歯状でよい。
【００２２】
本発明の電気光学装置の他の態様では、前記複数の配線は、前記配線基板の下面側に積層された多層配線として設けられている。
【００２３】
この態様によれば、複数の配線を多層配線として形成した場合も、複数の画素部において発生する熱を当該電気光学装置外に放出させることが可能となる。従って、冷却用のファンを設けなくても、駆動時において電気光学装置を冷却することができる。特に熱伝導性に優れた層と、配線本来の電気伝導性に優れた層とを使って多層配線膜を構成すれば、配線本来の機能を低下させること無く、放熱機能を向上させることができ、大変有利である。
【００２４】
本発明の電気光学装置の他の態様では、前記配線基板は、前記複数の画素部を構成する材料よりも熱伝導率の大きい材料から構成される。
【００２５】
この態様によれば、駆動時、複数の画素部において発生する熱を、より効率良く放射や輻射によって配線基板に伝導させることが可能となる。その結果、当該電気光学装置の駆動時における、放熱効率を高めることができる。
【００２６】
本発明の電気光学装置の他の態様では、前記複数の配線のうち少なくとも一部は、前記複数の画素部のうち所定数の画素部に対して共通に配線されたバス配線である。
【００２７】
この態様では、複数のバス配線が、例えば配線基板の下面側において複数の画素部に対応する複数のグランド配線として形成される。或いは、複数の画素部のうち所定数の画素部に対応させて、該所定数の画素部に共通に設けられた電源ラインとして形成される。
【００２８】
このように、配線基板の下面側を、該下面に沿った方向に広い領域に渡って延在するバス配線を放熱経路の一部とすることにより、複数の画素部において発生する熱を当該電気光学装置外により効率良く放出させることが可能となる。その結果、当該電気光学装置の駆動時における、放熱効率を高めることができる。
【００２９】
この、バス配線を放熱経路の一部とする態様では、前記バス配線は、前記複数の画素部に共通に配線されているように構成してもよい。
【００３０】
このように構成すれば、バス配線によって、複数の画素部を複数の上下導通配線を介して相互に電気的に接続することが可能となる。バス配線は、例えば複数の画素部にグランド電位信号を供給するグランド配線として形成される。
【００３１】
よって、バス配線は、画像表示領域のうち、発光素子の発光等によって発熱する全ての領域に渡って配線することが可能となる。従って、当該電気光学装置の駆動時における、放熱効率をより高めることができる。
【００３２】
この、バス配線を放熱経路の一部とする態様では、前記バス配線は、前記所定数の画素部の配列パターンに対応させたパターン形状としてあるように構成してもよい。
【００３３】
このように構成すれば、例えばマトリクス状に配列された複数の画素部に対して、複数のバス配線を夫々、列毎又は行毎に共通する、走査線やデータ線、或いは電源ラインとして形成させることが可能となる。従って、バス配線によって、各列の画素部又は各行の画素部を相互に電気的に接続することが可能となる。
【００３４】
本発明の電気光学装置の他の態様では、前記発光素子は発光層を有しており、前記複数の上下導通配線は夫々前記発光層に接続される。
【００３５】
この態様によれば、例えば複数の画素部がパッシブ駆動される場合は、複数の配線を介して複数の画素部に複数の駆動信号が印加される。そして、各画素部では、発光素子における発光層の発光により熱が生じる。即ち、駆動時、各画素部における熱の発生源は主に発光素子の発光層である。
【００３６】
この態様によれば、各画素部において熱の発生源となる発光層には上下導通配線が接続されている。よって、駆動時に、複数の画素部における発光層より生じる熱は、直接、複数の上下導通配線を介して複数の配線に伝導される。従って、この態様では、複数の画素部において発光層より生じる熱を直接複数の放熱経路を介して当該電気光学装置外に放出させることができる。その結果、当該電気光学装置の駆動時における、放熱効率を高めることが可能となる。
【００３７】
本発明の電気光学装置の他の態様では、前記複数の画素部は夫々前記発光素子に接続される回路素子を含んでなり、前記複数の上下導通配線は夫々前記回路素子に接続される。
【００３８】
この態様によれば、複数の画素部には夫々、駆動手段から出力される駆動信号に応じて発光素子を発光させるため、該発光素子に接続された回路素子が形成されている。そして、該回路素子には上下導通配線が接続されている。
【００３９】
駆動時、各画素部において発光素子より生じる熱や回路素子から生じる熱は、回路素子並びに上下導通配線を介して、配線基板の下面側において該上下導通配線に接続された配線に伝導される。従って、この態様では、各画素部において発光素子より生じる熱を回路素子を介して放熱経路に伝導させて、当該電気光学装置外に放出させることができる。その結果、当該電気光学装置の駆動時における、放熱効率を高めることが可能となる。また、回路素子からの放熱が良好に行なわれることで、回路素子が加熱によるダメージを受けたり、その回路特性が劣化或いは変化してしまう事態を未然に防止できる。
【００４０】
この、複数の画素部が夫々回路素子を含む態様では、前記回路素子はアクティブ素子であるように構成してもよい。
【００４１】
このように構成すれば、複数の画素部をアクティブ駆動することが可能となる。尚、各画素部において、例えば２つのアクティブ素子として薄膜トランジスタ（Thin Film Transistor；以下適宜、“ＴＦＴ”と称する）、薄膜ダイオード（Thin Film Diode；以下適宜、“ＴＦＤ”と称する）等の半導体素子を用いることにより、発光素子を有機ＥＬ素子として構成して、アクティブ駆動させることが可能となる。
【００４２】
本発明の電気光学装置の他の態様では、前記発光素子は有機ＥＬ素子を用いて構成される。
【００４３】
この態様によれば、各画素部をパッシブ駆動又はアクティブ駆動させる。各画素部をパッシブ駆動させる場合、複数の配線を夫々データ線或いは走査線とすることによって、該複数の配線から複数の画素部に複数の駆動信号が印加されることとなる。そして、複数の画素部において発光層より生じる熱を直接複数の放熱経路を介して当該電気光学装置外に放出させることができる。
【００４４】
また、各画素部をアクティブ素子を含む構成とすることによって、有機ＥＬ素子をアクティブ駆動することが可能となる。この場合、各画素部において、例えば有機ＥＬ素子に接続されたアクティブ素子には電源ラインが接続される。複数の配線を夫々電源ラインとすれば、各画素部において有機ＥＬ素子より生じる熱をアクティブ素子を介して放熱経路に伝導させて、当該電気光学装置外に放出させることができる。この場合、複数の電源ラインは、各データ線毎に別々に設けられてもよいし、赤色（Ｒ）、緑色（Ｇ）、及び青色（Ｂ）の３種のデータ線毎に、該３種のデータ線に共通に設けられてもよい。
【００４５】
また、複数の配線を複数の画素部に対応させて形成された複数のグランド配線として構成すれば、複数の画素部において有機ＥＬ素子より発生する熱を、当該電気光学装置外により効率良く放出させることが可能となる。
【００４６】
本発明の電子機器は上記課題を解決するために、上述した本発明の電気光学装置（但し、その各種態様も含む）を具備してなる。
【００４７】
本発明の電子機器は、上述した本発明の電気光学装置を具備してなるので、発熱による発光素子等の劣化を軽減し、複数の画素部を構成する発光素子等の長寿命化を図ることが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）等を実現することも可能である。
【００４８】
本発明のこのような作用及び他の利得は次に説明する実施の形態から明らかにされる。
【発明を実施するための最良の形態】
【００４９】
以下、本発明の実施形態を図面に基づいて説明する。
【００５０】
＜１：第１実施形態＞
本発明の電気光学装置に係る第１実施形態について、図１から図５を参照して説明する。
【００５１】
＜１−１：電気光学装置の構成＞
先ず、図１を参照して電気光学装置の概略構成について説明する。ここに、図１は、本実施形態に係る電気光学装置の全体構成を示すブロック図である。
【００５２】
図１に示すように、電気光学装置１ａは、主要部として、有機ＥＬパネル１００、並びに「駆動手段」の一例として走査線駆動回路１３０及びデータ線駆動回路１５０を備える。
【００５３】
有機ＥＬパネル１００における画像表示領域１１０には、縦横に配線されたデータ線１１４及び走査線１１２が設けられており、それらの交点に対応する各画素部７０ａはマトリクス状に配列される。更に、画像表示領域１１０には各データ線１１４に対して配列された画素部７０ａに対応する電源ライン１１７が設けられている。
【００５４】
次に、図２を参照して、画素部７０ａの構成について説明する。図２は、画素部７０ａの回路構成を示す回路図である。
【００５５】
図２において、画素部７０ａには、本発明に係る「発光素子」として有機ＥＬ素子７２が設けられると共に、該有機ＥＬ素子７２を駆動させるための「回路素子」として、例えばＴＦＴを用いて構成されるスイッチング用トランジスタ７６及び駆動用トランジスタ７４の２種の「アクティブ素子」、並びに保持容量７８が設けられている。
【００５６】
スイッチング用トランジスタ７６のゲート電極には走査線１１２が電気的に接続されており、スイッチング用トランジスタ７６のソース電極にはデータ線１１４が電気的に接続され、スイッチング用トランジスタ７６のドレイン電極には駆動用トランジスタ７４のゲート電極が電気的に接続されている。また、駆動用トランジスタ７４のソース電極には、電源ライン１１７が電気的に接続されており、駆動用トランジスタ７４のドレイン電極には有機ＥＬ素子７２が電気的に接続されている。
【００５７】
図１において、カラー表示を行うために、画像表示領域１１０には、好ましくは、赤色（Ｒ）用、緑色（Ｇ）用、及び青色（Ｂ）用の３種の画素部７０ａが設けられる。より具体的には、図１において、例えば隣接する３本のデータ線１１４毎に３種の画素部７０ａが設けられる。３本のデータ線１１４のうち、いずれか１本のデータ線１１４には、３種のうちいずれか１種の画素部７０ａが配列される。よって、画像表示領域１１０において、３種の画素部７０ａに対応する３種のデータ線１１４が設けられる構成となる。
【００５８】
図３には、有機ＥＬパネル１００において、３種の画素部７０ａの各々を１つずつ含む領域の断面の構成を示してある。
【００５９】
本実施形態によれば、有機ＥＬパネル１００において、例えばプリント基板を用いて構成される配線基板３００上に、Ｒ用画素部７０ａ（ｒ）、Ｇ用画素部７０ａ（ｇ）、及びＢ用画素部７０ａ（ｂ）の３種が形成される。
【００６０】
ここで、Ｒ用画素部７０ａ（ｒ）の構成に着目して説明する。尚、３種の画素部７０ａ（ｒ）、７０ａ（ｇ）、及び７０ａ（ｂ）は、互いに同様の構成として形成されるのが好ましい。よって、Ｇ用画素部７０ａ（ｇ）及びＢ用画素部７０ａ（ｂ）の構成について詳細な説明は省略する。
【００６１】
図３において、配線基板３００の上に、Ｒ用画素部７０ａ（ｒ）に含まれる駆動用トランジスタ７４（ｒ）が形成される。また、図３において図示を省略するが、配線基板３００の上には、Ｒ用画素部７０ａ（ｒ）を構成する他の「回路素子」、並びに該「回路素子」や有機ＥＬ素子７２を互いに接続する配線が形成される。
【００６２】
また、駆動用トランジスタ７４（ｒ）上に積層された層間絶縁膜３０２上に、導電性の金属材料を用いて構成される陽極７０４（ｒ）及び発光層７０６（ｒ）が順次積層される。層間絶縁膜３０２には駆動用トランジスタ７４（ｒ）上から陽極７０４（ｒ）まで、該層間絶縁膜３０２を貫いて形成されたコンタクトホール３０３が形成される。そして、陽極７０４（ｒ）は、該コンタクトホール３０３内を埋め込むと共に、該コンタクトホール３０３内から層間絶縁膜３０２表面まで連続的に形成された導電膜によって構成される。従って、陽極７０４（ｒ）と駆動用トランジスタ７４（ｒ）とは、コンタクトホール３０３内に形成された陽極７０４（ｒ）を構成する導電膜の一部によって電気的に接続されることとなる。
【００６３】
また、層間絶縁層３０２上には、保護膜３０４及びバンク３０６によって、３種の画素部７０ａ（ｒ）、７０ａ（ｇ）、及び７０ａ（ｂ）の各々の形成領域が規定される。そして、Ｒ用画素部７０ａ（ｒ）の形成領域に陽極７０４（ｒ）及び発光層７０６（ｒ）が形成される。
【００６４】
更に、発光層７０６（ｒ）上には、３種の画素部７０ａ（ｒ）、７０ａ（ｇ）、及び７０ａ（ｂ）に共通の陰極として透明電極７１０が形成される。従って、Ｒ用画素部７０ａ（ｒ）において、有機ＥＬ素子７２の構成は、陽極７０４（ｒ）、透明電極７１０、並びに陽極７０４（ｒ）及び透明電極７１０に挟持された発光層７０６（ｒ）を含む構成となる。
【００６５】
尚、Ｒ用の有機ＥＬ素子７２の構成は、陽極７０４（ｒ）及び透明電極７１０間に発光層７０６（ｒ）を含む３層以上の層が挟持される構造とすることも可能である。このように構成すれば、発光効率を向上させることができる。加えて、例えば透明電極７１０上に透明封止膜を形成して封止が行われる。
【００６６】
本実施形態では、配線基板３００の下面側に、Ｒ用画素部７０ａ（ｒ）と対応する電源ライン１１７としてＲ用配線３１０（ｒ）、Ｇ用画素部７０ａ（ｇ）と対応する電源ライン１１７としてＧ用配線３１０（ｇ）、Ｂ用画素部７０ａ（ｂ）と対応する電源ライン１１７としてＢ用配線３１０（ｂ）が形成される。
【００６７】
また、図３に示すように、配線基板３００を貫いて、Ｒ用配線３１０（ｒ）及び駆動用トランジスタ７４（ｒ）を相互に電気的に接続するＲ用上下導通配線３０８（ｒ）が設けられる。更に、Ｒ用上下導通配線３０８（ｒ）と同様に、Ｇ用配線３１０（ｇ）及び駆動用トランジスタ７４（ｇ）を相互に電気的に接続するＧ用上下導通配線３０８（ｇ）、Ｂ用配線３１０（ｂ）及び駆動用トランジスタ７４（ｂ）を相互に電気的に接続するＢ用上下導通配線３０８（ｂ）が設けられる。
【００６８】
Ｒ用配線３１０（ｒ）、Ｇ用配線３１０（ｇ）、及びＢ用配線３１０（ｂ）、並びにＲ用上下導通配線３０８（ｒ）、Ｇ用上下導通配線３０８（ｇ）、及びＢ用上下導通配線３０８（ｂ）は、導電性を有する金属材料、例えば鉄（Ｆｅ）を含む材料を用いて構成される。
【００６９】
ここに、図４（ａ）は、配線基板３００の下面の一の構成を概略的に示す斜視図であって、図４（ｂ）は、配線基板３００の下面の他の構成を概略的に示す斜視図である。
【００７０】
図４（ａ）には、Ｒ、Ｇ、及びＢの３本のデータ線１１４毎に、Ｒ用配線３１０（ｒ）、Ｇ用配線３１０（ｇ）、及びＢ用配線３１０（ｂ）を共通の配線３１０として形成する構成を示してある。該共通の配線３１０は、配線基板３００の下面から突出するパターン形状としてある。
【００７１】
また、図４（ｂ）に示すように、Ｒ、Ｇ、及びＢの３本のデータ線１１４毎に、Ｒ用配線３１０（ｒ）、Ｇ用配線３１０（ｇ）、及びＢ用配線３１０（ｂ）が設けられるようにしてもよい。図４（ａ）と同様、Ｒ用配線３１０（ｒ）、Ｇ用配線３１０（ｇ）、及びＢ用配線３１０（ｂ）も、配線基板３００の下面から突出するパターン形状としてある。
【００７２】
尚、図３及び図４に図示しないが、複数のデータ線１１４及び走査線１１２を含む複数の配線が夫々、例えば少なくともその一表面が配線基板３００の上面に露出するように、配線基板３００の上面側に作り込まれる。
【００７３】
また、複数のデータ線１１４及び走査線１１２を含む複数の配線が上面側に作り込まれると共に、３種の上下導通配線３０８（ｒ）、３０８（ｇ）、及び３０８（ｂ）が形成された配線基板３００に、下面側に金属材料を溶接させることによって、Ｒ用配線３１０（ｒ）、Ｇ用配線３１０（ｇ）、及びＢ用配線３１０（ｂ）を形成させるのが好ましい。
【００７４】
図１に戻り、走査線駆動回路１３０及びデータ線駆動回路１５０は、配線基板３００上に内蔵され又は後付けされ、若しくは外部回路接続端子を介して接続されて設けられるのが好ましい。
【００７５】
走査線駆動回路１３０は、画像表示領域１１０に配線された走査線１１２を順次アクティブにする走査信号を「駆動信号」として、該走査線１１２に順次供給する。また、データ線駆動回路１５０は、画像表示領域１１０に配線された３種のデータ線１１４に、「駆動信号」としてＲ用、Ｇ用、及びＢ用の３種の画像信号を供給する。尚、走査線駆動回路１３０の動作と、データ線駆動回路１５０の動作とは、同期信号１６０によって相互に同期が図られる。
【００７６】
＜１−２：電気光学装置の動作＞
次に、電気光学装置１ａの動作について説明する。電気光学装置１ａの駆動時、画像表示領域１１０において、各画素部７０ａはアクティブ駆動される。
【００７７】
図１において、データ線駆動回路１５０から３種のデータ線１１４に３種の画像信号が供給される。例えば、Ｒ用画素部７０ａ（ｒ）と対応するデータ線１１４にはＲ用画像信号が供給される。尚、以下において、Ｒ用画素部７０ａ（ｒ）の動作に着目して説明するが、Ｇ用画素部７０ａ（ｇ）及びＢ用画素部７０ａ（ｂ）の動作は概ねＲ用画素部７０ａ（ｒ）と同様であるとする。よって、Ｇ用画素部７０ａ（ｇ）及びＢ用画素部７０ａ（ｂ）の動作について詳細な説明は省略する。
【００７８】
走査線駆動回路１３０から対応する走査線１１２に走査信号が書き込まれることにより該走査線１１２が駆動されると、Ｒ用画素部７０ａ（ｒ）において、図２に示すスイッチング用トランジスタ７６がオン状態になる。スイッチング用トランジスタ７６がオン状態となると、対応するデータ線１１４よりＲ用画像信号が保持容量７８に書き込まれる。この保持容量７８に書き込まれたＲ用画像信号の電流に応じて、駆動用トランジスタ７４（ｒ）の電気的な導通状態が決まる。そして、駆動用トランジスタ７４（ｒ）のチャネルを介してＲ用の電源ライン１１７即ちＲ用配線３１０（ｒ）より、保持容量７８に書き込まれたＲ用画像信号に応じた電流が有機ＥＬ素子７２に供給される。有機ＥＬ素子７２は供給された電流に応じて赤色に相当する光を発光する。
【００７９】
尚、Ｇ用画素部７０ａ（ｇ）において、有機ＥＬ素子７２には、Ｇ用画像信号に応じた電流が供給されて、緑色に相当する光を発光する。Ｂ用画素部７０ａ（ｂ）において、有機ＥＬ素子７２には、Ｂ用画像信号に応じた電流が供給されて、青色に相当する光を発光する。
【００８０】
この際、Ｒ用画素部７０ａ（ｒ）において、有機ＥＬ素子７２は発光することによって発熱する。或いは、Ｒ用画素部７０ａ（ｒ）を構成するスイッチング用トランジスタ７６や保持容量７８は、前述したような動作によって発熱する。このようにＲ用画素部７０ａ（ｒ）において発生した熱は、有機ＥＬ素子７２及びスイッチング用トランジスタ７６や保持容量７８に接続する駆動用トランジスタ７４（ｒ）、並びに該駆動用トランジスタ７４（ｒ）に接続するＲ用上下導通配線３０８（ｒ）を介して、Ｒ用配線３１０（ｒ）に伝導される。
【００８１】
即ち、電気光学装置１ａの駆動時、Ｒ用画素部７０ａ（ｒ）から、駆動用トランジスタ７４（ｒ）並びにＲ用上下導通配線３０８（ｒ）を介してＲ用配線３１０（ｒ）に至る放熱経路が形成されることとなる。また、Ｇ用画素部７０ａ（ｇ）及びＢ用画素部７０ａ（ｂ）に対しても、Ｒ用画素部７０ａ（ｒ）と同様の放熱経路が形成される。また、３種の画素部７０ａ（ｒ）、７０ａ（ｇ）及び７０ａ（ｂ）において生じる熱は配線基板３００自体にも放射或いは輻射によって伝導される。
【００８２】
よって、本実施形態によれば、電気光学装置１ａの駆動時、配線基板３００の表面に加え、配線基板３００の下面側を、該下面に沿った方向に延在する３種の配線３１０（ｒ）、３１０（ｇ）、及び３１０（ｂ）を放熱経路の一部とすることにより、３種の画素部７０ａ（ｒ）、７０ａ（ｇ）及び７０ａ（ｂ）において発生する熱を当該電気光学装置１ａ外に効率良く放出させることが可能となる。従って、例えば、冷却用のファンを設けなくても、駆動時において電気光学装置１ａを冷却することができる。このため、電気光学装置１ａでは、発熱よる有機ＥＬ素子７２の劣化に加え、発熱によるスイッチング用トランジスタ７６等の「回路素子」の劣化を軽減することが可能となる。よって、有機ＥＬ素子７２や「回路素子」の長寿命化を図ることが可能となる。
【００８３】
また、冷却用のファンを使用しないため、該ファンが動作することによる騒音の発生を防止すると共に、冷却用ファンを用いる構成よりも電気光学装置１ａを薄くすることが可能となる。
【００８４】
更に、夫々電源ライン１１７のようなバス配線として形成された３種の配線３１０（ｒ）、３１０（ｇ）、及び３１０（ｂ）を放熱経路の一部とすることにより、該放熱経路に伝導される熱を電気光学装置１ａ外により効率良く放出させることが可能となる。加えて、３種の配線３１０（ｒ）、３１０（ｇ）、及び３１０（ｂ）は、配線基板３００の下面から突出するパターン形状としてあるため、伝導された熱が放出される表面積をより広くすることが可能となる。その結果、放熱経路に伝導された熱を、放熱フィンの要領で、より効率良く電気光学装置１ａ外に放出させることが可能となる。従って、当該電気光学装置１ａの駆動時における、放熱効率を高めることができる。
【００８５】
＜１−３：第１実施形態の変形例＞
以上説明した第１実施形態に係る変形例について説明する。配線基板３００の下面側に、夫々電源ライン１１７として形成された３種の配線３１０（ｒ）、３１０（ｇ）、及び３１０（ｂ）に代えて、３種の画素部７０ａ（ｒ）、７０ａ（ｇ）及び７０ａ（ｂ）に共通のグランド配線３１１が形成されてもよい。
【００８６】
図５は、本変形例に係る配線基板３００の下面の構成を概略的に示す斜視図である。グランド配線３１１は、図４（ａ）及び図４（ｂ）に示す３種の配線３１０（ｒ）、３１０（ｇ）、及び３１０（ｂ）と同様、配線基板３００の下面から突出するパターン形状として形成されるのが好ましい。
【００８７】
ここに、図３に示す構成を参照すれば、Ｒ用上下導通配線３０８（ｒ）、Ｇ用上下導通配線３０８（ｇ）、及びＢ用上下導通配線３０８（ｂ）の各々の一端側は、配線基板３００上に形成された陰極としての透明電極７１０に接続される。また、グラント配線３１１は、Ｒ用上下導通配線３０８（ｒ）、Ｇ用上下導通配線３０８（ｇ）、及びＢ用上下導通配線３０８（ｂ）の各々の他端側に接続される。
【００８８】
従って、グランド配線３１１によって、３種の画素部７０ａ（ｒ）、７０ａ（ｇ）及び７０ａ（ｂ）は、Ｒ用上下導通配線３０８（ｒ）、Ｇ用上下導通配線３０８（ｇ）、及びＢ用上下導通配線３０８（ｂ）を介して、相互に電気的に接続される。また、３種の画素部７０ａ（ｒ）、７０ａ（ｇ）及び７０ａ（ｂ）における有機ＥＬ素子７２の陰極は、グランド配線３１１によって接地される。
【００８９】
また、グランド配線３１１は、画像表示領域１１０のうち、３種の画素部７０ａ（ｒ）、７０ａ（ｇ）及び７０ａ（ｂ）が駆動されることによって発熱する全ての領域に渡って配線される。従って、このようなバス配線として形成されたグランド配線３１１を放熱経路の一部とすることにより、電気光学装置１ａの駆動時における、放熱効率をより高めることができる。
【００９０】
＜２：第２実施形態＞
次に、本発明の電気光学装置に係る第２実施形態について説明する。
【００９１】
＜２−１：電気光学装置の構成＞
第２実施形態における電気光学装置は第１実施形態と比較して、画素部の構成及び配線基板の下面側に形成される配線の構成が異なる。以下において、電気光学装置の構成を図６を参照して説明し、画素部の構成を図７及び図８を参照して説明すると共に、配線基板の下面の構成を図９を参照して説明する。尚、第１実施形態との共通個所には同一符号を付し、以下において重複する説明を省略する。
【００９２】
図６は、第２実施形態に係る電気光学装置の全体構成を示すブロック図である。図６に示す電気光学装置１ｂにおいて、有機ＥＬパネル１００の画像表示領域１１０に配線されたデータ線１１４及び走査線１１２の交点に対応する各画素部７０ｂはマトリクス状に配列される。
【００９３】
図７は、画素部７０ｂの回路構成を示す回路図である。図７に示す画素部７０ｂにおいて、走査線１１２及びデータ線１１４に、有機ＥＬ素子７２が電気的に接続される。画素部７０ｂにはアクティブ素子は設けられない。
【００９４】
図６において、画像表示領域１１０には、第１実施形態と同様、例えば隣接する３本のデータ線１１４毎に、Ｒ用、Ｇ用、及びＢ用の３種の画素部７０ｂが設けられる。
【００９５】
図８には、有機ＥＬパネル１００において、３種の画素部７０ｂの各々を１つずつ含む領域の断面の構成を示してある。第２実施形態によれば、第１実施形態と同様に、配線基板３００上に、Ｒ用画素部７０ｂ（ｒ）、Ｇ用画素部７０ｂ（ｇ）、及びＢ用画素部７０ｂ（ｂ）の３種が形成される。
【００９６】
ここで、Ｒ用画素部７０ｂ（ｒ）の構成に着目して、図８に示す断面の構成を、図３に示す断面の構成と比較してみれば、Ｒ用画素部７０ｂ（ｒ）には、駆動用トランジスタ７４（ｒ）のような「アクティブ素子」が形成されない点が異なっている。そして、この相違点に伴う他の点、例えば駆動用トランジスタ７４（ｒ）と陽極７０４（ｒ）とを層間絶縁する層間絶縁膜３０２が形成されない点も異なっている。
【００９７】
また、第２実施形態では、配線基板３００の下面側に、３種の画素部７０ｂ（ｒ）、７０ｂ（ｇ）、及び７０ｂ（ｂ）と対応する３種のデータ線１１４として、Ｒ用配線４１０（ｒ）、Ｇ用配線４１０（ｇ）、及びＢ用配線４１０（ｂ）が形成される。
【００９８】
また、図８に示すように、Ｒ用上下導通配線３０８（ｒ）によって、Ｒ用配線４１０（ｒ）と、Ｒ用の画素部７０ｂ（ｒ）の形成領域に形成された陽極７０４（ｒ）とが相互に電気的に接続される。更に、Ｒ用上下導通配線３０８（ｒ）と同様に、Ｇ用上下導通配線３０８（ｇ）によって、Ｇ用配線４１０（ｇ）と、Ｇ用の画素部７０ｂ（ｇ）に形成された陽極７０４（ｒ）とが相互に電気的に接続され、Ｂ用上下導通配線３０８（ｂ）によって、Ｂ用配線４１０（ｂ）と、Ｂ用の画素部７０ｂ（ｂ）に形成された陽極７０４（ｂ）とが相互に電気的に接続される。
【００９９】
図９は、第２実施形態における配線基板３００の下面の構成を概略的に示す斜視図である。図９において、Ｒ用配線４１０（ｒ）、Ｇ用配線４１０（ｇ）、及びＢ用配線４１０（ｂ）は、第１実施形態と同様、配線基板３００の下面から突出するパターン形状としてある。
【０１００】
尚、図８及び図９に図示しないが、複数の走査線１１２を含む複数の配線は、例えば少なくともその一表面が配線基板３００の上面に露出するように、配線基板３００の上面側に作り込まれる。
【０１０１】
＜２−２：電気光学装置の動作＞
次に、電気光学装置１ｂの動作について説明する。電気光学装置１ｂの駆動時、画像表示領域１１０において、各画素部７０ｂはパッシブ駆動される。
【０１０２】
図６において、データ線駆動回路１５０から３種のデータ線１１４、即ち３種の配線４１０（ｒ）、４１０（ｇ）、及び４１０（ｂ）に３種の画像信号が供給される。Ｒ用画素部７０ｂ（ｒ）に着目すれば、Ｒ用配線４１０（ｒ）にはＲ用画像信号が供給される。また、走査線駆動回路１３０から対応する走査線１１２に走査信号が書き込まれることにより該走査線１１２が駆動されると、Ｒ用画素部７０ｂ（ｒ）において、Ｒ用画像信号に応じた電流が有機ＥＬ素子７２に供給される。有機ＥＬ素子７２において、図８に示す発光層７０６（ｒ）は、供給された電流に応じて赤色に相当する光を発光する。そして、Ｒ用画素部７０ｂ（ｒ）において、発光層７０６（ｒ）は発光することにより発熱する。発光層７０６（ｒ）より発生した熱は、該発光層７０６（ｒ）を含む有機ＥＬ素子７２に接続された別の回路素子を介することなしに、直接、陽極７０４（ｒ）及びＲ用上下導通配線３０８（ｒ）を介して、Ｒ用配線４１０（ｒ）に伝導される。
【０１０３】
即ち、電気光学装置１ｂの駆動時、陽極７０４（ｒ）及びＲ用上下導通配線３０８（ｒ）を介して、Ｒ用配線４１０（ｒ）に至る放熱経路が形成されることとなる。また、Ｇ用画素部７０ｂ（ｇ）及びＢ用画素部７０ｂ（ｂ）に対しても、Ｒ用画素部７０ｂ（ｒ）と同様の放熱経路が形成される。
【０１０４】
よって、第２実施形態では、３種の画素部７０ｂ（ｒ）、７０ｂ（ｇ）、及び７０ｂ（ｂ）において、夫々発光層より生じる熱を直接対応する放熱経路を介して電気光学装置１ｂ外に放出させることができる。その結果、電気光学装置１ｂの駆動時における、放熱効率を高めることが可能となる。
【０１０５】
＜２−３：第２実施形態の変形例＞
以上説明した第２実施形態に係る変形例について説明する。配線基板３００の下面側に、夫々データ線１１４として形成された３種の配線４１０（ｒ）、４１０（ｇ）、及び４１０（ｂ）に代えて、３種の画素部７０ｂ（ｒ）、７０ｂ（ｇ）及び７０ｂ（ｂ）に共通の走査線１１２が形成されてもよい。
【０１０６】
図１０は、本変形例に係る配線基板３００の下面の構成を概略的に示す斜視図である。走査線１１２は、図９に示す３種の配線４１０（ｒ）、４１０（ｇ）、及び４１０（ｂ）と同様、配線基板３００の下面から突出するパターン形状として形成されるのが好ましい。
【０１０７】
従って、走査線１１２によって、該走査線１１２に対応する３種の画素部７０ｂ（ｒ）、７０ｂ（ｇ）及び７０ｂ（ｂ）は、Ｒ用上下導通配線３０８（ｒ）、Ｇ用上下導通配線３０８（ｇ）、及びＢ用上下導通配線３０８（ｂ）を介して、相互に電気的に接続される。従って、１本の走査線１１２に走査信号が印加されると、該走査線１１２に対応する３種の画素部７０ｂ（ｒ）、７０ｂ（ｇ）及び７０ｂ（ｂ）が同時に選択されることとなり、このうち画像信号が供給されたデータ線１１４に接続された１つの画素部が点灯することとなる。
【０１０８】
＜３：第１又は第２実施形態の変形例＞
次に、第１又は第２実施形態に係る変形例について説明する。図３に示す３種の配線３１０（ｒ）、３１０（ｇ）、及び３１０（ｂ）と、図８に示す３種の配線４１０（ｒ）、４１０（ｇ）、及び４１０（ｂ）と、３種の上下導通配線３０８（ｒ）、３０８（ｇ）、及び３０８（ｂ）とのうちいずれか一つ又は全てが、以下のように熱伝導性に優れた材料を用いて構成するのが好ましい。
【０１０９】
即ち、この材料は、好ましくは、図３に示す画素部７０ａ（ｒ）、７０ａ（ｇ）、及び７０ａ（ｂ）、若しくは図８に示す画素部７０ｂ（ｒ）、７０ｂ（ｇ）、及び７０ｂ（ｂ）を構成する材料よりも熱伝導率の大きいものが用いられる。このような材料としては、好ましくは、アルミニウム（Ａｌ）や銅（Ｃｕ）を含む金属材料が用いられる。
【０１１０】
また、配線基板３００を構成する材料として、該画素部７０ａ（ｒ）、７０ａ（ｇ）、及び７０ａ（ｂ）、若しくは画素部７０ｂ（ｒ）、７０ｂ（ｇ）、及び７０ｂ（ｂ）を構成する材料よりも熱伝導率の大きいものを用いるのが好ましい。このような材料としては、例えば、セラミックや液晶ポリマーが用いられる。
【０１１１】
尚、各画素部７０ａ又は７０ｂにおいて発生する熱の放熱経路の一部を構成する材料として、上述した材料の熱伝導率は、５０［Ｗ／ｍ・Ｋ］以上の値であるのが好ましい。
【０１１２】
よって、上述したような材料を用いることにより、電気光学装置１ａ又は１ｂにおいて各画素部７０ａ又は７０ｂから発生する熱を、より効率良く伝導させることが可能となるため、駆動時における、放熱効率を高めることが可能となる。
【０１１３】
更に、例えば図４に示す３種の配線３１０（ｒ）、３１０（ｇ）、及び３１０（ｂ）は、配線基板３００の下面より突出させるパターン形状とする代わりに、該配線基板３００の下面側に、その一表面を該下面に露出させて作り込まれるようにしてもよい。そして、これら３種の配線３１０（ｒ）、３１０（ｇ）、及び３１０（ｂ）の少なくとも一部を、配線基板３００を平面的に見て、３種の上下導通配線３０８（ｒ）、３０８（ｇ）、及び３０８（ｂ）のうち対応するものとの接続面よりも広いパターン形状としてもよい。このパターン形状は、例えばＲ用配線３１０（ｒ）に着目すれば、配線基板３００を平面的に見て、対応する上下導通配線３０８（ｒ）におけるＲ用配線３１０（ｒ）との接続面よりも広い形状となる。
【０１１４】
図１１には、図５に示すグランド配線３１１を、配線基板３００の下面側に作り込むと共に、露出したその一表面を、平面的にみて、３種の上下導通配線３０８（ｒ）、３０８（ｇ）、及び３０８（ｂ）との接続面よりも広いパターン形状とした例について示してある。
【０１１５】
このようなパターン形状とすれば、例えば３種の配線３１０（ｒ）、３１０（ｇ）、及び３１０（ｂ）を配線基板３００の下面側に作り込むことによって形成しても、伝導された熱が放出される表面の面積を広くすることが可能となる。その結果、駆動時に、３種の画素部７０ａ（ｒ）、７０ａ（ｇ）、及び７０ａ（ｂ）において発生する熱を、より効率良く電気光学装置１ａ外に放出させることが可能となるため、放熱効率を高めることができる。
【０１１６】
加えて、例えば図３に示す３種の配線３１０（ｒ）、３１０（ｇ）、及び３１０（ｂ）を、配線基板３００の下面側に積層された多層配線として形成してもよい。
【０１１７】
このように構成すれば、特に熱伝導性に優れた層と、配線本来の電気伝導性に優れた層とを使って多層配線膜を構成すれば、配線本来の機能を低下させること無く、放熱機能を向上させることができ、大変有利である。この場合も、例えば配線基板３００の下面側において、外側に露出する配線の一表面を、該下面に沿った方向に広げたパターン形状とするのが好ましい。或いは、外側に露出する一表面を有する配線を、配線基板３００の下側に突出するパターン形状として形成してもよい。
【０１１８】
＜４：電子機器＞
次に、上述した電気光学装置が各種の電子機器に適用される場合について説明する。
【０１１９】
＜４−１：モバイル型コンピュータ＞
先ず、この電気光学装置を、モバイル型のパーソナルコンピュータに適用した例について説明する。図１２は、このパーソナルコンピュータの構成を示す斜視図である。図において、コンピュータ１２００は、キーボード１２０２を備えた本体部１２０４と、電気光学装置を用いて構成された表示ユニット１２０６とを備えている。
【０１２０】
＜４−２；携帯電話＞
さらに、この電気光学装置を、携帯電話に適用した例について説明する。図１３は、この携帯電話の構成を示す斜視図である。図において、携帯電話１３００は、複数の操作ボタン１３０２とともに、有機ＥＬパネルを有する電気光学装置を備えるものである。尚、図１３中、有機ＥＬパネルには符号１００５を付して示してある。
【０１２１】
この他にも、電気光学装置は、ノート型のパーソナルコンピュータ、ＰＤＡ、テレビ、ビューファインダ、モニタ直視型のビデオテープレコーダ、カーナビゲーション装置、ページャ、電子手帳、電卓、ワードプロセッサ、ワークステーション、ＰＯＳ端末、タッチパネルを備えた装置等に適用することができる。
【０１２２】
本発明は、上述した実施形態に限られるものではなく、請求の範囲及び明細書全体から読み取れる発明の要旨、あるいは思想に反しない範囲で適宜変更可能であり、そのような変更を伴う電気光学装置、及びそのような電気光学装置を備えた各種電子機器もまた、本発明の技術的範囲に含まれるものである。
【図面の簡単な説明】
【０１２３】
【図１】電気光学装置の全体構成を示すブロック図である。
【図２】画素部の回路構成を示す回路図である。
【図３】有機ＥＬパネルの断面の構成を示す断面図である。
【図４】図４（ａ）は、配線基板の下面の一の構成を概略的に示す斜視図であって、図４（ｂ）は、配線基板の下面の他の構成を概略的に示す斜視図である。
【図５】図５は、第１実施形態の変形例に係る配線基板の下面の構成を概略的に示す斜視図である。
【図６】第２実施形態に係る電気光学装置の全体構成を示すブロック図である。
【図７】第２実施形態に係る画素部の回路構成を示す回路図である。
【図８】第２実施形態に係る有機ＥＬパネルの断面の構成を示す断面図である。
【図９】第２実施形態における配線基板の下面の構成を概略的に示す斜視図である。
【図１０】第２実施形態の変形例に係る配線基板の下面の構成を概略的に示す斜視図である。
【図１１】第１又は第２実施形態の変形例に係る配線基板の下面の構成を概略的に示す斜視図である。
【図１２】電気光学装置を適用した電子機器の一例たるパーソナルコンピュータの構成を示す断面図である。
【図１３】電気光学装置を適用した電子機器の一例たる携帯電話の構成を示す断面図である。
【符号の説明】
【０１２４】
１ａ、１ｂ…電気光学装置
７０ａ、７０ｂ…画素部
７０ａ（ｒ）、７０ｂ（ｒ）…Ｒ用画素部
７０ａ（ｇ）、７０ｂ（ｇ）…Ｇ用画素部
７０ａ（ｂ）、７０ｂ（ｂ）…Ｂ用画素部
７２…有機ＥＬ素子
１００…有機ＥＬパネル
１１０…画像表示領域
３００…配線基板
３０８（ｒ）…Ｒ用上下導通配線
３０８（ｇ）…Ｇ用上下導通配線
３０８（ｂ）…Ｂ用上下導通配線
３１０（ｒ）、４１０（ｒ）…Ｒ用配線
３１０（ｇ）、４１０（ｇ）…Ｇ用配線
３１０（ｂ）、４１０（ｂ）…Ｂ用配線
【図１】
2005134756.tif 000003
【図２】
2005134756.tif 000004
【図３】
2005134756.tif 000005
【図４】
2005134756.tif 000006
【図５】
2005134756.tif 000007
【図６】
2005134756.tif 000008
【図７】
2005134756.tif 000009
【図８】
2005134756.tif 000010
【図９】
2005134756.tif 000011
【図１０】
2005134756.tif 000012
【図１１】
2005134756.tif 000013
【図１２】
2005134756.tif 000014
【図１３】
2005134756.tif 000015